(57)【要約】【課題】  ＩＣカードを利用する機器類を操作する者において、マニュアル操作時の不注意や過誤によるＩＣカードの抜き出しを阻止するについて、アタッチメント部品を必要とせずして、余計な出費が嵩まないようにする。【解決手段】  所定の制御を可能にする制御部を装備する本体１にマニュアル操作によるＩＣカード２のカードスロット１２を介しての挿し込み収容およびマニュアル操作によるイジェクトレバー４の押し込み動作でＩＣカード２のカードスロット１２を介しての抜き出しを可能にする収容部１１を有してなるＩＣカードの収容保持構造において、本体１にイジェクトレバー４の押し込み動作を阻止するロックボタン５が装備されてなると共に、イジェクトレバー４の押し込み動作がロックボタン５のロック解除操作後に可能とされてなる。【選択図】  図１
2007140815.tif 000002
【特許請求の範囲】
【請求項１】
所定の制御を可能にする制御部を装備する本体にマニュアル操作によるＩＣカードのカードスロットを介しての挿し込み収容およびマニュアル操作によるイジェクトレバーの押し込み動作でＩＣカードのカードスロットを介しての抜き出しを可能にする収容部を有してなるＩＣカードの収容保持構造において、本体にイジェクトレバーの押し込み動作を阻止するロックボタンが装備されてなると共に、イジェクトレバーの押し込み動作がロックボタンのロック解除操作後に可能とされてなることを特徴とするＩＣカードの収容保持構造
【請求項２】
カードスロットおよびロックボタンが本体の周壁の一壁面に配在されてなる請求項１に記載のＩＣカード類の収容保持構造
【請求項３】
ロックボタンがロック動作時にカードスロットを部分的に遮蔽してなる請求項１に記載のＩＣカード類の収容保持構造
【請求項４】
ロックボタンがバネ力によってロック動作位置に保持されると共にバネ力に抗してのロック解除操作を可能にする一方で、ロックボタンに連設の係合部がイジェクトレバーに形成の係止溝に係合するときにイジェクトレバーの押し込み動作が阻止されてなる請求項１に記載のＩＣカード類の収容保持構造
【請求項５】
ロックボタンがロックキーの着脱を可能にすると共に、このロックキーの施錠操作時にロックボタンのロック解除操作が不能とされてなる請求項１に記載のＩＣカード類の収容保持構造
【発明の詳細な説明】
【技術分野】
【０００１】
この発明は、ＩＣカード類の収容保持構造に関し、特に、所定の収容場所たる収容部に収容されているＩＣカード類が不注意や過誤によって収容部から抜き出されるのを阻止するようにしたＩＣカード類の収容保持構造の改良に関する。
【背景技術】
【０００２】
極めて薄いＩＣチップをキャッシュカード大のプラスチック製カードに埋め込み情報を記録できるようにしたＩＣカードやその他のカード類を所定の機器類における所定の収容場所たる収容部に収容保存する構造としては、従来から種々の提案があるが、その中で、たとえば、特許文献１には、ノートパソコンにおいてＰＣカードの収容部への収容保持を可能にする構造が開示されている。
【０００３】
ちなみに、ＰＣカードとは、ノートパソコン向けの拡張カードの統一規格を言うもので、カードの厚さによってタイプ１，タイプ２およびタイプ３の三種類に分けられている。
【０００４】
ところで、上記の特許文献１に開示の提案にあっては、ＰＣカードの挿し込み口たるカードスロットを介して収容部に収容されたＰＣカードがマニュアル操作でカードスロットの前面に移動するいわゆる邪魔板部材でＰＣカードの収容部からの抜き出されること、すなわち、ＰＣカードがカードスロットを介して抜き出されることを阻止されるとしている。
【０００５】
このとき、特許文献１に開示の提案では、邪魔板部材がマニュアル操作で移動した状態、すなわち、邪魔板部材がカードスロットの前面に立ちはだかった状態と邪魔板部材がカードスロットの前面から退避するように後退した状態との維持を可能にする同じくマニュアル操作で作動するロック装置を有してなるとしている。
【０００６】
それゆえ、この特許文献１に開示の提案にあっては、邪魔板部材がカードスロットの前面に立ちはだかった状態をロック装置で維持することで、ノートパソコンの収容部に収容されているＰＣカードの不注意や過誤による抜き出しを阻止できることになる。
【０００７】
ちなみに、特許文献１に開示されているところでは、ロック装置は、間接的に邪魔板部材に連繋する一方で、このロック装置から延在されるワイヤを有していて、このワイヤがテーブルなどのいわゆる固定側に連結されることで、ノートパソコン自体の盗難を阻止し得るとしている。
【特許文献１】特開平１０‐２８９０３３公報（要約，明細書中の段落００１３，同００１４，同００１５，図１，図２，図３，図４）
【発明の開示】
【発明が解決しようとする課題】
【０００８】
しかしながら、上記した特許文献１に開示の提案を、たとえば、ＩＣカードを利用する機器類に具現化する場合に、ノートパソコンに代わる機器類における収容部に収容のＩＣカードの不注意や過誤による抜き出しを阻止すること自体に格別の不具合がある訳ではないが、ロック装置たるいわゆるアタッチメント部品が必須になる不利がある。
【０００９】
すなわち、上記の提案によれば、ＩＣカードの抜き出しを実質的に阻止する邪魔板部材は、機器類の内部に装備されているから、いわゆる外部に臨在されずして目障りや邪魔になることはなく、問題視されることはない。
【００１０】
しかし、ロック装置は、機器類の外部に臨在されるとしているから、目障りや邪魔になるのはもちろんのこと、アタッチメント部品として、言わば余計な出費を必要にする不利がある。
【００１１】
この発明は、上記した事情を鑑みて創案されたものであって、その目的とするところは、ＩＣカードを利用する機器類において、収容部に収容されたＩＣカードのカードスロットを介して不注意や過誤による抜き出しをマニュアル操作で阻止し得るようにするのはもちろんのこと、その際に、いわゆるアタッチメント部品が必要とされずして、言わば余計な出費が嵩むことを回避し得るようにしたＩＣカードの収容保持構造を提供することである。
【課題を解決するための手段】
【００１２】
上記した目的を達成するために、この発明によるＩＣカードの収容保持構造の構成を、基本的には、所定の制御を可能にする制御部を装備する本体にマニュアル操作によるＩＣカードのカードスロットを介しての挿し込み収容およびマニュアル操作によるイジェクトレバーの押し込み動作でＩＣカードのカードスロットを介しての抜き出しを可能にする収容部を有してなるＩＣカードの収容保持構造において、本体にイジェクトレバーの押し込み動作を阻止するロックボタンが装備されてなると共に、イジェクトレバーの押し込み動作がロックボタンのロック解除操作後に可能とされてなるとする。
【発明の効果】
【００１３】
それゆえ、この発明にあっては、収容部に収容されたＩＣカードを抜き出すためにするイジェクトレバーの押し込み動作は、ロックボタンのロック解除操作後でなければ、実践できないことになり、したがって、機器類を操作する者が、不注意や過誤などでイジェクトレバーを押し込み動作し、したがって、ＩＣカードに記録された情報の消滅や、機器類において収容部でＩＣカードに連繋されるコネクタ機構の故障などの予期しない不具合が招来されることをあらかじめ阻止できることになる。
【００１４】
そして、ロックボタンのロック解除操作後でなければ、イジェクトレバーの押し込み動作を実践できないことから、機器類の操作者は、ＩＣカードを抜き出す意思を持ってこれを実行することになり、その限りにおいて、不注意や過誤によるＩＣカードの抜き出しを確実に排除できることになる。
【００１５】
また、特に、ロックボタンがロックキーによる施錠操作を可能にする場合には、このロックキーにおける施錠解除が実践されない限りにおいて、悪意を持った者がロックボタンのロック解除操作をしようとしてもこれができないことになり、イジェクトレバーの押し込み動作によるＩＣカードの抜き出しを実践できないことになる。
【発明を実施するための最良の形態】
【００１６】
以下に、図示した実施形態に基づいて、この発明を説明するが、図示するところは、この発明によるＩＣカードの収容保持構造がこの発明に言う機器類たるタコメーターに具現化されてなるとしている。
【００１７】
ちなみに、タコメーターは、たとえば、貨物トラックやアジテータートッラクなどの産業用車両における走行状況および停車状況を把握するために、その産業用車両の走行速度や走行距離などのデータを一定時間に亘ってＩＣカードに記録するもので、多くの場合に、その産業用車両を運行させるいわゆる管理者がそのデータを必要とする。
【００１８】
一方、この種のタコメーターは、上記の産業用車両に搭載されていて、このとき、車両の、たとえば、運転席のダッシュボードにあらかじめ組み込まれ、あるいは、爾後にダッシュボードなどに後付けで設置される。
【００１９】
そして、この発明が具現化されるタコメーターにあっても、所定の制御を可能にする制御部（図示せず）を装備する本体１（図１および図２参照）にＩＣカード２（図４参照）の収容部１１（図４参照）を有していて、この収容部１１は、ＩＣカード２を挿通させる開口たるカードスロット１２（図１，図２および図３参照）を有するとしている。
【００２０】
ちなみに、上記の収容部１１は、凡そこの種のＩＣカード２に情報を記録し、あるいは、記録された情報を利用し得るようにする機器類にあってそうであるように、図４に示すように、コネクタ機構３を有していて、このコネクタ機構３にＩＣカード２を受容状態で保持し、この状態下に制御部によって上記した情報の記録あるいは利用を実現するとしている。
【００２１】
ところで、上記したタコメーターなどの機器類にあって、ＩＣカード２の収容部１１に対する抜き挿しは、多くの場合に、マニュアル操作によるとしており、したがって、後述することであるが、この発明にあっても、マニュアル操作によることから、このタコメーターなどの機器類を利用する操作者が不注意や過誤でＩＣカード２を収容部１１から抜き出すことを阻止する方策を講じることが必要とされることになる。
【００２２】
このような前提の下にこの発明によるＩＣカードの収容保持構造について説明すると、この構造は、基本的には、図１および図２に示すように、本体１にイジェクトレバー４の押し込み動作を阻止するロックボタン５が装備されてなると共に、イジェクトレバー４の押し込み動作がロックボタン５のロック解除操作後に可能とされてなるとしている。
【００２３】
このとき、本体１は、前記したように図示しない制御部を内部に有してなるが、その他の構成として、図１に示すように、たとえば、正面の壁面１ａに電源スイッチ６を有すると共に、作動中であることを表示するランプ７や誤作動防止の警告ランプ８さらにはＩＣカード２が収容部１１に収容されていることを表示するランプ９などが配在されてなるとしている。
【００２４】
なお、上記の電源スイッチ６については、このタコメーターを搭載する車両の走行のためにイグニッションスイッチを入れることでいわゆるスイッチオンされるときに代替されるとする場合には、これを省略することが可能になるのもちろんであり、また、この電源スイッチ６部分がリモコンの受光部に代えられるとしても良いことはもちろんである。
【００２５】
また、各種のランプ７，８，９については、このタコメーターの好ましい利用状況に応じるようにその用途や機能するところが、種々に変更されることがあっても良いことはもちろんである。
【００２６】
一方、この発明の実施形態にあっては、イジェクトレバー４およびロックボタン５も上記の本体１における正面の壁面１ａにいわゆる並列する状態に配在されてなるとしている。
【００２７】
このように、イジェクトレバー４およびロックボタン５が上記した各種のランプ７，８，９が配在されているのと同じ壁面１ａに配在されることで、これらランプ７，８，９が表示することに意味を把握しつつイジェクトレバー４およびロックボタン５へのマニュアル操作を実践することになるから、その限りにおいても不注意や過誤による誤操作を回避し易くなると言い得ることになる。
【００２８】
そして、イジェクトレバー４およびロックボタン５が一の壁面たる正面の壁面１ａに並列配置されることで、後述することであるが、ロックボタン５のロック解除操作後にイジェクトレバー４を押し込み動作する手順を容易にし易くすると言い得ることになる。
【００２９】
ところで、イジェクトレバー４は、図４に原理的に示すコネクタ機構３に連繋するもので、このコネクタ機構３は、ＩＣカード２を抜き挿し可能に保持する収容部１１に配在されてこの収容部１１に挿し込まれたＩＣカード２に接続されるコネクタ部材３１と、このコネクタ部材３１に中間部が枢支されながら先端部が同じくコネクタ部材３１に連繋されると共に基端部がイジェクトレバー４に連繋される梃構造の移動手段３２とを有してなるとしている。
【００３０】
それゆえ、このコネクタ機構３にあっては、ＩＣカード２がカードスロット１２を介して挿し込まれるようにして収容部１１に収容されるときには、コネクタ部材３１が図中に架装線図で示すようにいわゆる後退する状態になって、このＩＣカード２の収容状態を維持する一方で、このとき、図中に仮想線図で示すように、移動手段３２の作動でイジェクトレバー４の操作端４ａを本体１の外に比較すれば大きく突出させるようになり、収容部１１にＩＣカード２が収容されていることを容易に視認し得るとしている。
【００３１】
そして、このコネクタ機構３にあっては、ＩＣカード２を収容部１１から抜き出すために上記した本体１の外に大きく突出しているイジェクトレバー４の操作端４ａを図中に実線図で示すように本体１内に押し込むときに、図中に実線図で示すように、移動手段３２の作動でコネクタ部材３１が本体１の外に向けていわゆる前進するようになり、このコネクタ部材３１の前進でＩＣカード２の一部がカードスロット１２を介して本体１の外に突出されることになり、操作者をしてＩＣカード２の突出した端部を把持することで、このＩＣカード２の収容部１１からの、すなわち、本体１内からの抜き出しが可能になる。
【００３２】
ところで、以上のように形成されたイジェクトレバー４に並列することになるロックボタン５は、この発明にあって、これがロック解除操作されない限りには、イジェクトレバー４の押し込み動作を阻止するとしている。
【００３３】
図示するところに基づいて、具体的に説明すると、ロックボタン５は、まず外観上からは、図１および図４に示すように、操作者がマニュアル操作するときの指をかける操作部５ａを有してなり、機能上からは、この操作部５ａに指を掛けて、図４中に仮想線図で示すロック状態位置から同じ図４中に実線図で示すロック解除状態位置に移動することを可能にしている。
【００３４】
このとき、このロックボタン５にあっては、図１および図２に示すように、ロックボタン５が図示するロック状態位置にあるときにカードスロット１２をいわゆる前面側から部分的に遮蔽してなるとしている。
【００３５】
つまり、図示するところでは、ロックボタン５がロック状態にあるときには、カードスロット１２が全面的に開放されておらず、したがって、仮に、イジェクトレバー４を押し込み動作してＩＣカード２を収容部１１から抜き出そうとしても、事実上、ＩＣカード２を収容部１１から抜き出せないようにしている。
【００３６】
それゆえ、このことからすると、図示するところでは、ロックボタン５がイジェクトレバー４に係合することで、イジェクトレバー４の押し込み動作を不能とする、すなわち、阻止する設定にする必要はないとも言い得る。
【００３７】
すなわち、ロックボタン５にあって、ロック状態時には、少なくとも、カードスロット１２の前面に、部分的ではあるが、前記した操作部５ａが  いわゆるたちはだかる状態になるとする場合には、仮に、ロックボタン５とイジェクトレバー４との係合が何らかの理由で解消される場合にも、ＩＣカード２の収容部１１からの抜き出しを実現できないことになるからである。
【００３８】
つぎに、ロックボタン５は、図示する実施形態では、図１中に破線図で、また、図２中に実線図でそれぞれ示すように、コイルバネからなるバネ部材５１に連繋されてなるとしており、このバネ部材５１の引張りバネ力によって図１に示すロック動作位置に保持されるとし、また、この引張りバネ力に抗してのロック解除操作（図３に示す状態）を実施可能にするとしている。
【００３９】
このとき、バネ部材５１は、図１および図２中で上下となる一対に配在されてなるとしているが、これは、ロックボタン５のいわゆる傾斜した移動現象が発現されるのを阻止するためであり、したがって、図示しないが、他の手段でロックボタン５の傾斜した移動現象の発現を阻止し得る限りには、バネ部材５１が一本とされても良いことはもちろんである。
【００４０】
一方、このロックボタン５は、図１中に破線図で、また、図２中に実線図でそれぞれ示すように、上記のバネ部材５１にガイド片５２を介して連繋されるとしており、このガイド片５２の先端部５２ａにバネ部材５１が連結され、このガイド片５２の基端部５２ｂがロックボタン３の背面に一体的に連設されるとしている。
【００４１】
ちなみに、図示する実施形態では、ガイド片５２は、図２に示すように、本体１の正面を形成する壁面１ａ（図１参照）の背面となる裏面（図示および符示せず）に上下の一対に形成されるガイドリブ１ｂの間に挟持されるように配在されるとしていて、ロックボタン５の移動時にこのロックボタン５が容易に傾斜しないようにするとしている。
【００４２】
このガイドリブ１ｂを設けて、このガイドリブ１ｂ間にガイド片５２を配在させるとする場合には、上記のように、ロックボタン５の傾斜状態での移動を阻止し得るから、その限りでは、前記したバネ部材５１は、必ずしも上下の一対となるとする必要はなく、したがって、バネ部材５１が一本とされるとしても良いことになる。
【００４３】
それゆえ、以上のように形成されたロックボタン５にあっては、これをロック解除操作するときには、バネ部材５１のバネ力に抗して移動させるようにしなければならなくなるから、このロックボタン５を移動させる時点で、操作者が不注意であるいは過誤ではなく、言わば承知の上でイジェクトレバー４を押し込み動作させると言い得ることになる。
【００４４】
なお、図示するところでは、ロック解除操作されたロックボタン５は、これが無制限に移動するとするのは、現実的でなく、多くの場合に、いわゆるストッパ部に衝突して停止状態になるとするのが常態であり、図示するところでは、前記したガイドリブ１ｂと同様に本体１の正面を形成する壁面１ａの背面に突設されるストッパ１ｃ（図２参照）に衝突することで、ロックボタン５の必要以上の移動が阻止されるとしている。
【００４５】
ところで、図示する実施形態で、ロックボタン５は、ロック状態時にイジェクトレバー４に係合して、このイジェクトレバー４の押し込み動作自体を阻止するとしている。
【００４６】
すなわち、前記したところでは、ロックボタン５は、ロック状態時に操作部５ａがカードスロット１２を部分的に覆うようにカードスロット１２の前面にたちはだかり、その結果、このロックボタン５がいわゆる邪魔板部材になって、ＩＣカード２の収容部１１からの抜き出しを阻止するとしている。
【００４７】
そこで、この実施形態では、ロックボタン５は、ロック状態時にイジェクトレバー４に係合して更なるロック状態の完全化を図ることにして、図１および図２に示すように、前記したガイド片５２の先端部５２ａ寄りに形成された係合部５２ｃがイジェクトレバー４に形成の係合溝４ｂに係合するとしている。
【００４８】
このように、ロックボタン５側に形成の係合部５２ｃがイジェクトレバー４側に形成の係合溝４ｂに係合することで、特に、イジェクトレバー４に対する押し込み動作が不能な状態になる。
【００４９】
このとき、ロックボタン５側に形成の係合部５２ｃにおける軸線方向の長さ、すなわち、ガイド片５２がイジェクトレバー４の係合溝４ｂに係合するときのいわゆるオーバラップする長さは、イジェクトレバー４における幅方向の長さよりやや短くなるように形成されていて、この係合部５２ｃがいわゆる後退するようにして、係合溝４ｂとの係合を解除するときには、前記したロックボタン５の移動ストロークで賄える長さに設定されているのはもちろんである。
【００５０】
以上のように、ロックボタン５がイジェクトレバー４に係合する設定とする場合には、仮に、ロックボタン５が形式的にではあるが、ロック状態に維持されず、ロック解除状態を呈するときにも、実質的にはイジェクトレバー４の押し込み動作が阻止されている状態を演出し保障し得ることになる。
【００５１】
前記したところでは、ロックボタン５がロック解除操作されない限りにイジェクトレバー４の押し込み動作が阻止されるとしているが、仮に悪意を持った者がロックボタン５をロック解除操作すればイジェクトレバー４の押し込み動作が可能になり、したがって、収容部１１からＩＣカード２を抜き出し、これを毀損しあるいは破損などすることが可能になる。
【００５２】
そこで、図示するところにあっては、図１に示すように、ロックボタン５がロックキー（図示せず）の着脱を可能にする、すなわち、ロックキーの挿し込み口５ｂを有してなり、この挿し込み口５ｂへのロックキーの挿し込みおよび施錠操作で、ロックボタン５のロック解除操作が不能とされてなるとしている。
【００５３】
ただ、この場合には、ロックキーが準備されること、および、ロックボタン５にいわゆるキー構造を形成することが必須となり、その分、いわゆるコスト高を松籟させると指摘される可能性はあるが、ＩＣカード２の問おう何を防止する上からは有効であると言い得るであろう。
【図面の簡単な説明】
【００５４】
【図１】この発明の一実施形態によるタコメーターを示す正面図である。
【図２】図１に示すタコメーターの内部から正面の背面を見た図である。
【図３】図１に示すタコメーターにおいてロックボタンがロック解除操作された状態を示す部分正面図である。
【図４】ロックボタンとイジェクトレバーの作動状態を示す部分横断面図である。
【符号の説明】
【００５５】
１  本体
２  ＩＣカード
４  イジェクトレバー
４ｂ  係合溝
５  ロックボタン
１１  収容部
１２  カードスロット
【図１】
2007140815.tif 000003
【図２】
2007140815.tif 000004
【図３】
2007140815.tif 000005
【図４】
2007140815.tif 000006